(57)【要約】【課題】原稿が給送される際の上側の面と、画像形成が中止されて排出された原稿の上側の面とが一致するように構成し、ユーザビリティを向上した画像形成装置を提供する。【解決手段】原稿トレイに積載された最下位の原稿を給送する原稿給送ローラによって給送され、イメージセンサによって画像が読み取られた原稿を接続路、両面搬送路及び給送搬送路を介して画像形成部に案内し、画像形成部によって原稿に画像を形成する上書き印刷ジョブを実行可能な制御部を備える。制御部は、上書き印刷ジョブにおいて、画像形成部において原稿への画像形成を中止し、原稿を排出トレイに排出させるリカバリ処理を実行可能である。制御部は、リカバリ処理において、排出トレイに積載される原稿の第１面が上向きとなるように、原稿を反転ローラ対によって反転させ、反転搬送路、両面搬送路、前記給送搬送路を介して排出トレイに排出させる反転処理を実行可能である。【選択図】図５
2019207382.tif 000002
【特許請求の範囲】
【請求項１】
記録材を支持する記録材支持部と、
前記記録材支持部から給送された記録材が搬送される給送搬送路と、
前記給送搬送路を搬送される記録材に画像を形成する画像形成部と、
前記画像形成部によって画像が形成された記録材を反転させる反転部と、
前記反転部によって反転された記録材が搬送される反転搬送路と、
前記反転搬送路と前記給送搬送路とを接続し、前記反転部によって反転された記録材を再び、前記画像形成部に向けて案内する両面搬送路と、
第１面及び前記第１面とは反対の第２面を有する原稿を支持する原稿支持部と、
前記原稿支持部に支持された最下位の原稿を前記第１面が上向きの状態で給送する原稿給送部と、
前記原稿給送部によって給送された原稿が搬送される原稿搬送路と、
前記原稿搬送路に設けられ、前記原稿搬送路を搬送される原稿の画像を読み取る読取部と、
機外に排出された原稿及び記録材が積載される積載部と、
前記原稿搬送路と前記両面搬送路とを接続し、前記読取部によって画像が読み取られた原稿を前記両面搬送路に案内する接続路と、
前記読取部によって画像が読み取られた原稿を前記接続路、前記両面搬送路及び前記給送搬送路を介して前記画像形成部に案内し、前記画像形成部によって原稿に画像を形成する原稿印刷ジョブにおいて、前記画像形成部において原稿への画像形成を中止し、原稿を前記積載部に排出させるリカバリ処理を実行可能な制御部と、を備え、
前記制御部は、前記リカバリ処理において、前記積載部に積載される原稿の前記第１面が上向きとなるように、原稿を前記反転部によって反転させ、前記反転搬送路、前記両面搬送路、及び前記給送搬送路を介して前記積載部に排出させる反転処理を実行可能である、
ことを特徴とする画像形成装置。
【請求項２】
前記画像形成部は、前記原稿印刷ジョブにおいて、前記反転部によって原稿が反転されていない状態では、原稿の前記第１面に画像を形成し、
前記制御部は、前記原稿印刷ジョブにおいて、原稿の前記第１面への画像形成の際に前記リカバリ処理を実行した場合、前記反転処理を実行する、
ことを特徴とする請求項１に記載の画像形成装置。
【請求項３】
前記画像形成部は、前記原稿印刷ジョブにおいて、前記反転部によって原稿が反転されていない状態では、原稿の前記第２面に画像を形成し、
前記制御部は、前記原稿印刷ジョブにおいて、原稿の前記第２面への画像の形成が完了し前記第１面への画像形成の際に前記リカバリ処理を実行した場合、前記反転処理を実行する、
ことを特徴とする請求項１に記載の画像形成装置。
【請求項４】
記録材を支持する記録材支持部と、
前記記録材支持部から給送された記録材が搬送される給送搬送路と、
前記給送搬送路を搬送される記録材に画像を形成する画像形成部と、
前記画像形成部によって画像が形成された記録材を反転させる反転部と、
前記反転部によって反転された記録材が搬送される反転搬送路と、
前記反転搬送路と前記給送搬送路とを接続し、前記反転部によって反転された記録材を再び、前記画像形成部に向けて案内する両面搬送路と、
第１面及び前記第１面とは反対の第２面を有する原稿を支持する原稿支持部と、
前記原稿支持部に支持された最上位の原稿を前記第１面が上向きの状態で給送する原稿給送部と、
前記原稿給送部によって給送された原稿が搬送される原稿搬送路と、
前記原稿搬送路に設けられ、前記原稿搬送路を搬送される原稿の画像を読み取る読取部と、
機外に排出された原稿及び記録材が積載される積載部と、
前記原稿搬送路と前記両面搬送路とを接続し、前記読取部によって画像が読み取られた原稿を前記両面搬送路に案内する接続路と、
前記読取部によって画像が読み取られた原稿を前記接続路、前記両面搬送路及び前記給送搬送路を介して前記画像形成部に案内し、前記画像形成部によって原稿に画像を形成する原稿印刷ジョブにおいて、前記画像形成部において原稿への画像形成を中止し、原稿を前記積載部に排出させるリカバリ処理を実行可能な制御部と、を備え、
前記制御部は、前記リカバリ処理において、前記積載部に積載される原稿の前記第１面が下向きとなるように、原稿を前記反転部によって反転させ、前記反転搬送路、前記両面搬送路、及び前記給送搬送路を介して前記積載部に排出させる反転処理を実行可能である、
ことを特徴とする画像形成装置。
【請求項５】
前記画像形成部は、前記原稿印刷ジョブにおいて、前記反転部によって原稿が反転されていない状態では、原稿の前記第１面に画像を形成し、
前記制御部は、前記原稿印刷ジョブにおいて、原稿の前記第２面への画像の形成が完了し前記第１面への画像形成の際に前記リカバリ処理を実行した場合、前記反転処理を実行する、
ことを特徴とする請求項４に記載の画像形成装置。
【請求項６】
前記画像形成部は、前記原稿印刷ジョブにおいて、前記反転部によって原稿が反転されていない状態では、原稿の前記第２面に画像を形成し、
前記制御部は、前記原稿印刷ジョブにおいて、原稿の前記第１面への画像形成の際に前記リカバリ処理を実行した場合、前記反転処理を実行する、
ことを特徴とする請求項４に記載の画像形成装置。
【請求項７】
前記制御部は、前記原稿印刷ジョブにおいて、原稿への画像形成又は搬送が正常に行えない状態の場合、前記リカバリ処理を実行する、
ことを特徴とする請求項１乃至６のいずれか１項に記載の画像形成装置。
【請求項８】
前記リカバリ処理が実行された場合に、前記リカバリ処理が実行されない場合に対して排出される原稿の位置を変更する変更手段を備える、
ことを特徴とする請求項１乃至７のいずれか１項に記載の画像形成装置。
【請求項９】
記録材及び原稿を機外に排出する排出部を備え、
前記積載部は、前記排出部によって排出された記録材及び原稿が積載される第１積載部と、前記反転部によって排出された原稿が積載される第２積載部と、を有し、
前記変更手段は、前記リカバリ処理が実行されない場合には原稿を前記排出部に案内し、前記リカバリ処理が実行された場合には原稿を前記反転部に案内する案内部材である、
ことを特徴とする請求項８に記載の画像形成装置。
【発明の詳細な説明】
【技術分野】
【０００１】
本発明は、記録材に画像を形成する画像形成装置に関する。
【背景技術】
【０００２】
従来、記録媒体に画像を形成する画像形成部と、画像形成部の上部に配置され原稿の画像を読み取る画像読取部と、を備えた画像形成装置が提案されている（特許文献１参照）。この画像形成装置は、画像形成部の搬送路と原稿の搬送路とを連結する上書き搬送路を有している。そして、画像形成装置は、原稿トレイから給送され画像読取部において画像が読取られた原稿を、上書き搬送路を介して画像形成部に搬送し、画像形成部において原稿に印刷を行う上書き印刷を行うことができる。
【先行技術文献】
【特許文献】
【０００３】
【特許文献１】特開２０１７−１９４６１１号公報
【発明の概要】
【発明が解決しようとする課題】
【０００４】
一般に、上述したような上書き印刷を実行中に、原稿の搬送遅延等の異常が生じた場合、原稿には画像形成部において画像が形成されずに、原稿は機外に排出される。この場合、ユーザは、上書き印刷が未完了の原稿を選択して原稿１枚ごとに印字面を再整列し、その後、再び上書き印刷の指示を行う必要があった。
【０００５】
そして、ユーザが印字面の整列を誤ったり上書き印刷が未完了の原稿を正しく選択できなかったりした場合、再び上書き印刷を行う際に所望の画像データを読み取れなかったり、所望の印字面に上書き印刷できなかったりして、上書き印刷が失敗する虞がある。一度上書き印刷を失敗すると、例えば原稿面に誤って上書き印刷を行ってしまった場合では、原稿に不要な画像が加えられ、そのリカバリに大きな労力がかかってしまう。このため、上書き印刷が未完了で機外に排出された原稿を、再び原稿トレイに載置することが容易な画像形成装置が望まれている。
【０００６】
そこで、本発明は、原稿が給送される際の上側の面と、画像形成が中止されて排出された原稿の上側の面とが一致するように構成し、上述した課題を解決した画像形成装置を提供することを目的とする。
【課題を解決するための手段】
【０００７】
本発明は、画像形成装置において、記録材を支持する記録材支持部と、前記記録材支持部から給送された記録材が搬送される給送搬送路と、前記給送搬送路を搬送される記録材に画像を形成する画像形成部と、前記画像形成部によって画像が形成された記録材を反転させる反転部と、前記反転部によって反転された記録材が搬送される反転搬送路と、前記反転搬送路と前記給送搬送路とを接続し、前記反転部によって反転された記録材を再び、前記画像形成部に向けて案内する両面搬送路と、第１面及び前記第１面とは反対の第２面を有する原稿を支持する原稿支持部と、前記原稿支持部に支持された最下位の原稿を前記第１面が上向きの状態で給送する原稿給送部と、前記原稿給送部によって給送された原稿が搬送される原稿搬送路と、前記原稿搬送路に設けられ、前記原稿搬送路を搬送される原稿の画像を読み取る読取部と、機外に排出された原稿及び記録材が積載される積載部と、前記原稿搬送路と前記両面搬送路とを接続し、前記読取部によって画像が読み取られた原稿を前記両面搬送路に案内する接続路と、前記読取部によって画像が読み取られた原稿を前記接続路、前記両面搬送路及び前記給送搬送路を介して前記画像形成部に案内し、前記画像形成部によって原稿に画像を形成する原稿印刷ジョブにおいて、前記画像形成部において原稿への画像形成を中止し、原稿を前記積載部に排出させるリカバリ処理を実行可能な制御部と、を備え、前記制御部は、前記リカバリ処理において、前記積載部に積載される原稿の前記第１面が上向きとなるように、原稿を前記反転部によって反転させ、前記反転搬送路、前記両面搬送路、及び前記給送搬送路を介して前記積載部に排出させる反転処理を実行可能である、ことを特徴とする。
【０００８】
また、本発明は、画像形成装置において、記録材を支持する記録材支持部と、前記記録材支持部から給送された記録材が搬送される給送搬送路と、前記給送搬送路を搬送される記録材に画像を形成する画像形成部と、前記画像形成部によって画像が形成された記録材を反転させる反転部と、前記反転部によって反転された記録材が搬送される反転搬送路と、前記反転搬送路と前記給送搬送路とを接続し、前記反転部によって反転された記録材を再び、前記画像形成部に向けて案内する両面搬送路と、第１面及び前記第１面とは反対の第２面を有する原稿を支持する原稿支持部と、前記原稿支持部に支持された最上位の原稿を前記第１面が上向きの状態で給送する原稿給送部と、前記原稿給送部によって給送された原稿が搬送される原稿搬送路と、前記原稿搬送路に設けられ、前記原稿搬送路を搬送される原稿の画像を読み取る読取部と、機外に排出された原稿及び記録材が積載される積載部と、前記原稿搬送路と前記両面搬送路とを接続し、前記読取部によって画像が読み取られた原稿を前記両面搬送路に案内する接続路と、前記読取部によって画像が読み取られた原稿を前記接続路、前記両面搬送路及び前記給送搬送路を介して前記画像形成部に案内し、前記画像形成部によって原稿に画像を形成する原稿印刷ジョブにおいて、前記画像形成部において原稿への画像形成を中止し、原稿を前記積載部に排出させるリカバリ処理を実行可能な制御部と、を備え、前記制御部は、前記リカバリ処理において、前記積載部に積載される原稿の前記第１面が下向きとなるように、原稿を前記反転部によって反転させ、前記反転搬送路、前記両面搬送路、及び前記給送搬送路を介して前記積載部に排出させる反転処理を実行可能である、ことを特徴とする。
【発明の効果】
【０００９】
本発明によると、積載部に排出された原稿をそのまま又は積載部に排出された原稿束の上下をひっくり返して原稿支持部に載せ替えるだけで、所望の印字面に対して原稿印刷ジョブを実行することができる。このため、ユーザビリティを向上することができる。
【図面の簡単な説明】
【００１０】
【図１】第１の実施の形態に係るプリンタを示す全体概略図。
【図２】読取ユニットを示す概略図。
【図３】制御部のハードウェア構成を示すブロック図。
【図４】制御部の機能ブロック構成を示すブロック図。
【図５】（ａ）は原稿トレイに積載されている原稿の積載順と印字面を示す平面図、（ｂ）は反転処理を実行せずに原稿排出トレイに積載された原稿の積載順と印字面を示す平面図。（ｃ）は反転処理を実行して原稿排出トレイに積載された原稿の積載順と印字面を示す平面図。
【図６】ミスプリント判断処理を示すフローチャート。
【図７】リカバリ処理を示すフローチャート。
【図８】反転処理を示すフローチャート。
【図９】第２の実施の形態に係るプリンタを示す全体概略図。
【図１０】読取ユニットを示す概略図。
【図１１】制御部の機能ブロック構成を示すブロック図。
【図１２】リカバリ処理を示すフローチャート。
【図１３】反転処理の内、特に原稿を排出する際の処理を示すフローチャート。
【発明を実施するための形態】
【００１１】
＜第１の実施の形態＞
〔全体構成〕
まず、本発明の第１の実施の形態について説明する。画像形成装置としてのプリンタ１００は、電子写真方式のレーザビームプリンタである。なお、本実施の形態では、後述するカセット３１から給送されるシートを記録材Ｓとし、後述する原稿トレイ７１から給送されるシートを原稿とする。プリンタ１００は、図１に示すように、記録材Ｓに画像を形成する画像形成部２０と、給送ユニット３０と、定着部４０と、排出ローラ対５０と、反転ローラ対６０と、読取ユニット７０と、制御部２００と、を有している。画像形成部２０は、それぞれイエロー（Ｙ）、マゼンタ（Ｍ）、シアン（Ｃ）及びブラック（Ｋ）の４色のトナー画像を形成する４つのプロセスカートリッジ２１Ｙ，２１Ｍ，２１Ｃ，２１Ｋと、スキャナユニット２２と、を備えている。
【００１２】
なお、４つのプロセスカートリッジ２１Ｙ，２１Ｍ，２１Ｃ，２１Ｋは、形成する画像の色が異なること以外は同じ構成である。そのため、プロセスカートリッジ２１Ｙの構成及び画像形成プロセスのみを説明し、プロセスカートリッジ２１Ｍ，２１Ｃ，２１Ｋの説明は省略する。
【００１３】
プロセスカートリッジ２１Ｙは、感光ドラム２３と、帯電ローラ２４と、現像ローラ２５と、を有している。感光ドラム２３は、アルミシリンダの外周に有機光導電層を塗布して構成され、不図示の駆動モータによって回転する。また、画像形成部２０には、駆動ローラ２６ａ及びテンションローラ２６ｂに巻き掛けられた中間転写ベルト２６が設けられ、中間転写ベルト２６の内側には、一次転写ローラ２７Ｙ，２７Ｍ，２７Ｃ，２７Ｋが設けられている。また、中間転写ベルト２６を挟むように、駆動ローラ２６ａに対向して二次転写ローラ２８が設けられており、中間転写ベルト２６及び二次転写ローラ２８は、搬送される記録材Ｓに画像を転写する転写ニップＮ１を形成している。
【００１４】
給送ユニット３０は、プリンタ１００の下部に設けられ、記録材Ｓを支持する記録材支持部としてのカセット３１と、カセット３１に支持された記録材Ｓを給送するピックアップローラ３２と、を有している。また、給送ユニット３０は、ピックアップローラ３２によって給送された記録材Ｓを１枚ずつに分離する分離ローラ対３３を有している。定着部４０は、中空状に形成される定着ローラ４１及び加圧ローラ４２を有しており、定着ローラ４１の内部には、不図示のヒータが内蔵されている。読取ユニット７０については、図２を用いて後述する。
【００１５】
次に、このように構成されたプリンタ１００の画像形成動作について説明する。不図示のパソコンや読取ユニット７０等から画像信号がスキャナユニット２２に入力されると、スキャナユニット２２から、画像信号に対応したレーザ光がプロセスカートリッジ２１Ｙの感光ドラム２３上に照射される。
【００１６】
このとき感光ドラム２３は、帯電ローラ２４により表面が予め所定の極性・電位に一様に帯電されており、スキャナユニット２２からレーザ光が照射されることによって表面に静電潜像が形成される。感光ドラム２３に形成された静電潜像は、現像ローラ２５により現像され、感光ドラム２３上にイエロー（Ｙ）のトナー像が形成される。
【００１７】
同様にして、プロセスカートリッジ２１Ｍ，２１Ｃ，２１Ｋの各感光ドラムにもスキャナユニット２２からレーザ光が照射され、各感光ドラムにマゼンタ（Ｍ）、シアン（Ｃ）及びブラック（Ｋ）のトナー像が形成される。各感光ドラム上に形成された各色のトナー像は、一次転写ローラ２７Ｙ，２７Ｍ，２７Ｃ，２７Ｋにより中間転写ベルト２６に転写され、駆動ローラ２６ａによって回転する中間転写ベルト２６により転写ニップＮ１まで搬送される。なお、各色の画像形成プロセスは、中間転写ベルト２６上に一次転写された上流のトナー像に重ね合わせるタイミングで行われる。
【００１８】
この画像形成プロセスに並行して、給送ユニット３０のカセット３１に収容された記録材Ｓは、ピックアップローラ３２により給送搬送路Ｒ１に送り出され、分離ローラ対３３により１枚ずつに分離される。そして、記録材Ｓは、レジストレーションローラ対３４により斜行が補正され、転写ニップＮ１での画像の転写タイミングに合わせて所定の搬送タイミングで搬送される。なお、プリンタ１００は、記録材Ｓが載置される手差しトレイ４５を有しており、手差しトレイ４５に載置された記録材Ｓを手差し給送ローラ４６によって給送してもよい。
【００１９】
そして、記録材Ｓには、二次転写ローラ２８に印加された二次転写バイアスによって、転写ニップＮ１において中間転写ベルト２６上のフルカラーのトナー像が転写される。トナー像が転写された記録材Ｓは、定着部４０の定着ローラ４１及び加圧ローラ４２によって所定の熱及び圧力が付与されて、トナーが溶融固着（定着）される。定着部４０を通過した記録材Ｓは、実線の位置に位置する第１案内部材１１によって排出ローラ対５０に案内され、排出部としての排出ローラ対５０によって排出トレイ５１に排出される。
【００２０】
記録材Ｓの両面に画像を形成する両面印刷ジョブが入力された際には、転写ニップＮ１によって表面に画像が形成された記録材Ｓは、図２に示すように、破線の位置に位置する第１案内部材１１によって反転ローラ対６０に案内される。そして、記録材Ｓは、反転部としての反転ローラ対６０によって反転され、反転搬送路Ｒ２を介して両面搬送路Ｒ３に搬送される。この時、第１案内部材１１は、給送搬送路Ｒ１と反転搬送路Ｒ２の分岐部に設けられるガイドの先端部６１を記録材Ｓの後端が通過した後、実線の位置に回動し、記録材Ｓを両面搬送路Ｒ３に向けて案内する。
【００２１】
両面搬送路Ｒ３には、図１に示すように、両面搬送ローラ対１２及び両面給送ローラ対１３が配置されており、記録材Ｓは、これら両面搬送ローラ対１２及び両面給送ローラ対１３によって給送搬送路Ｒ１に向けて搬送される。給送搬送路Ｒ１に再び搬送された記録材Ｓは、転写ニップＮ１によって裏面に画像が形成され、排出ローラ対５０によって排出トレイ５１に排出される。
【００２２】
［読取ユニット］
次に、読取ユニット７０について詳述する。図２に示すように、読取ユニット７０は、定着部４０の上方に配置されている。読取ユニット７０は、原稿支持部としての原稿トレイ７１と、原稿給送ローラ７２と、分離ローラ対７３と、レジストレーションローラ対７４と、イメージセンサ７５と、原稿排出ローラ対７６と、原稿排出トレイ７７と、を有している。
【００２３】
原稿給送部としての原稿給送ローラ７２は、原稿トレイ７１に積載された最下位の原稿の下面に当接可能に構成されており、回転することで最下位の原稿を給送する。読取部としてのイメージセンサ７５は、ＣＩＳ（Ｃｏｎｔａｃｔ  Ｉｍａｇｅ  Ｓｅｎｓｏｒ）やＣＣＤ等の撮像素子を有しており、搬送される原稿の片面又は両面の画像を読み取ることができる。原稿排出ローラ対７６は正逆転可能に構成されている。
【００２４】
原稿の画像を読み取る読取ジョブが入力された場合には、原稿給送ローラ７２は、原稿トレイ７１に積載された最下位の原稿を原稿搬送路Ｒ５に給送する。給送された原稿は、分離ローラ対７３によって１枚ずつに分離され、レジストレーションローラ対７４に搬送される。レジストレーションローラ対７４は、原稿を所定のタイミングで搬送し、実線に位置する第２案内部材１４によって原稿はイメージセンサ７５に向けて案内される。イメージセンサ７５は、搬送される原稿の片面又は両面の画像を読み取る。イメージセンサ７５によって画像が読取られた原稿は、原稿排出ローラ対７６によって原稿排出トレイ７７に排出される。イメージセンサ７５によって読み取られた画像は、電子情報としてネットワーク上のコンピュータに保管されるか、制御部２００に送信される。
【００２５】
次に、原稿の画像を読み取り、更に原稿に画像を上書きする原稿印刷ジョブとしての上書き印刷ジョブが入力された場合について説明する。なお、イメージセンサ７５によって画像が読み取られて原稿排出ローラ対７６に原稿が搬送されるまでは、上述の読取ジョブと同じであるため、説明を省略する。また、プリンタ１００では、原稿搬送路Ｒ５と両面搬送路Ｒ３とが、接続路Ｒ４によって接続されている。
【００２６】
画像が読み取られた原稿は、正転する原稿排出ローラ対７６によって原稿の後端が第２案内部材１４を抜けるまで搬送される。その後、原稿排出ローラ対７６は、一旦停止し、反転する。この時、第２案内部材１４は、実線の位置から破線の位置に回動する。反転する原稿排出ローラ対７６及び第２案内部材１４によって、原稿は接続路Ｒ４に搬送され、接続路Ｒ４は、原稿を両面搬送路Ｒ３に案内する。両面搬送路Ｒ３に案内された原稿は、シートへの画像形成ジョブと同様に、図１に示すように、両面搬送ローラ対１２及び両面給送ローラ対１３によってレジストレーションローラ対３４に搬送される。
【００２７】
そして、原稿は、レジストレーションローラ対３４によって斜行が補正されると共に所定のタイミングで搬送され、転写ニップＮ１において画像が形成される。本実施の形態では、原稿トレイ７１に積載された状態の原稿の上面が印字面となる。転写ニップＮ１において画像が形成された原稿は、定着部４０によってトナー画像が定着され、排出ローラ対５０によって排出トレイ５１に排出される。また、原稿の裏面側にも画像を形成する場合には、記録材Ｓの両面印刷ジョブで説明したのと同様、両面搬送路Ｒ３を通って、原稿は再び転写ニップＮ１に搬送される。なお、排出トレイ５１は、機外に排出された記録材Ｓ及び原稿が積載される積載部を構成している。
【００２８】
ここで、プリンタ１００は、図１及び図２に示すように、それぞれフラグ式センサから構成される、第１搬送センサ９１、第２搬送センサ９２、第３搬送センサ９３、原稿有無センサ９４、第４搬送センサ９５及び第５搬送センサ９６を有している。これら第１搬送センサ９１、第２搬送センサ９２、第３搬送センサ９３、第４搬送センサ９５及び第５搬送センサ９６は、記録材Ｓ又は原稿の先端及び後端の位置や、センサの通過タイミング等を検知することができ、記録材Ｓ又は原稿の搬送制御に用いられる。原稿有無センサ９４は、原稿トレイ７１に原稿が積載されているか否かを検知する。
【００２９】
また、第５搬送センサ９６のフラグは、図２の破線で示すように、原稿搬送路Ｒ５に対して一方側及び他方側に回動することができ、正逆回転可能な原稿排出ローラ対７６によって搬送される原稿の移動が妨げられることはない。なお、第１搬送センサ９１、第２搬送センサ９２、第３搬送センサ９３、原稿有無センサ９４、第４搬送センサ９５及び第５搬送センサ９６は、例えば原稿に光や超音波を照射して反射波を検出する方式のセンサを用いてもよい。
【００３０】
［ハードウェア構成］
次に、図３を用いて、本実施の形態に係る制御部２００のハードウェア構成を説明する。制御部２００は、図３に示すように、ＣＰＵ３０１と、タイマ３０２と、ＲＯＭ３０３と、ＲＡＭ３０４と、バス３０５と、Ｉ／Ｏポート３０６と、を有している。
【００３１】
バス３０５を介して、ＣＰＵ３０１、タイマ３０２、ＲＯＭ３０３、ＲＡＭ３０４及びＩ／Ｏポート３０６は、それぞれ接続されている。ＲＯＭ３０３には、プリンタ１００の制御を行うためのプログラム及びデータが格納され、これらのプログラム及びデータは、実行時に読み出される。ＲＡＭ３０４には、揮発的なデータが格納されている。ＣＰＵ３０１は、これらＲＯＭ３０３及びＲＡＭ３０４を参照することで、プリンタ１００の制御プログラムを実行する。タイマ３０２は、ＣＰＵ３０１からの指示を受けて時間を計測する。
【００３２】
また、ＣＰＵ３０１は、バス３０５及びＩ／Ｏポート３０６を介して、各入力回路に接続されるセンサからの情報を受け取ると共に、各駆動回路に接続されるアクチュエータに指示を出す。メインモータ駆動回路３０７は、ピックアップローラ３２及び分離ローラ対３３等を駆動するメインモータ３２１に接続されている。搬送モータ駆動回路３０８は、レジストレーションローラ対３４、両面搬送ローラ対１２及び両面給送ローラ対１３を駆動する搬送モータ３２２に接続されている。
【００３３】
反転モータ駆動回路３０９は、反転ローラ対６０を正逆転可能な反転モータ３２３に接続され、原稿搬送モータ駆動回路３１０は、原稿排出ローラ対７６を駆動可能な原稿搬送モータ３２４に接続されている。第１搬送センサ入力回路３１１は、第１搬送センサ９１に接続され、両面ソレノイド駆動回路３１２は、第１案内部材１１を駆動可能な両面ソレノイド３２５に接続されている。
【００３４】
両面給送ソレノイド駆動回路３１３は、両面給送ソレノイド３２６に接続されており、両面搬送ローラ対１２及び両面給送ローラ対１３は、搬送モータ３２２が駆動している状態で両面給送ソレノイド３２６がＯＮとなることで、駆動される。スキャナエラー信号入力回路３１４は、画像形成中の電気的なノイズやスキャナユニット２２の異常に基づいて、スキャナユニット２２のエラーを検知するスキャナエラーセンサ３２７に接続されている。
【００３５】
［制御ブロック］
次に、図４を用いて、本実施の形態に係る制御部２００の機能ブロック（制御ブロック）を説明する。制御部２００は、ミスプリント判断手段４００と、ミスプリント原稿リカバリ手段４０１と、を有している。ミスプリント判断手段４００は、第１搬送センサ９１及びスキャナエラーセンサ３２７の検知結果を用いて、記録材Ｓのサイズの違い、記録材Ｓの搬送の遅延、スキャナユニット２２のエラー等を、ミスプリントとして判断する。そして、ミスプリント判断手段４００によってミスプリントと判断された場合、ミスプリント原稿リカバリ手段４０１にミスプリントの通知が行われる。
【００３６】
ミスプリント原稿リカバリ手段４０１は、ミスプリント発生時の原稿のリカバリ処理を行う。すなわち、原稿への画像形成又は搬送が正常に行えない状態の場合、リカバリ処理が実行される。ミスプリント原稿リカバリ手段４０１は、反転判断手段４０４と、原稿反転手段４０５と、を有している。反転判断手段４０４は、原稿情報４０２、印字面情報４０３、繰り出し上下情報４０６及び原稿印字面上下情報４０７を用いて、後述する反転処理が必要か否かを判断する。原稿反転手段４０５は、原稿のリカバリ処理中に、反転モータ３２３、原稿搬送モータ３２４、搬送モータ３２２、両面給送ソレノイド３２６及び両面ソレノイド３２５を制御する。
【００３７】
原稿情報４０２は、原稿と記録材のどちらを搬送しているのかを示す情報であり、印字面情報４０３は、印字をする面が表面及び裏面のどちらの面かを示す情報である。繰り出し上下情報４０６は、原稿トレイ７１に積載された原稿が、最上位の原稿から給送されるのか又は最下位の原稿から給送されるのかを示す情報である。原稿印字面上下情報４０７は、片面への上書き印刷ジョブにおいて、上書き原稿トレイ７１に積載された状態の原稿の、上面と下面のどちらに印字されるのかを示す情報である。
【００３８】
［原稿の積載順と印字面］
次に、原稿トレイ７１に積載された原稿と、片面上書き印刷ジョブが実施され排出トレイ５１に排出された原稿と、のそれぞれの積載順と印字面の関係について説明する。ここで、以下の説明では、原稿トレイ７１に積載され、原稿給送ローラ７２によって給送される原稿の上側の面を第１面とし、原稿の下側の面を第２面とする。すなわち、原稿は、第１面と、第１面とは反対の第２面を有している。
【００３９】
図５（ａ）は、原稿トレイ７１に積載されている原稿の積載順と印字面を示しており、原稿トレイ７１には、３枚の原稿が印字面を上向きに、すなわち第１面が上向きの状態で積載されている。なお、本実施の形態では原稿給送ローラ７２が原稿トレイ７１に積載された最下位の原稿から給送するため、原稿トレイ７１に積載された最下位の原稿が１枚目の原稿となる。
【００４０】
図５（ａ）で説明したように、第１面が印字面である場合、第１面のみへの上書き印刷ジョブが実施されると、図５（ｂ）に示すように、原稿の非印字面である第２面が上向きとなって排出トレイ５１に原稿が排出される。このとき、排出トレイ５１に積載される最下位の原稿が１枚目となる。
【００４１】
これに対し、第１面への上書き印刷ジョブの実施中にミスプリントが発生し、上記リカバリ処理において原稿が反転されると、図５（ｃ）に示すように、第１面が上向きの状態、かつ最下位の原稿が１枚目となるように、原稿が排出トレイ５１に排出される。これは、原稿トレイ７１に積載された原稿と、印字面（第１面）の向き及び積載順が同じである。
［反転処理の要否］
【００４２】
次に、原稿トレイ７１に積載される原稿束と、リカバリ処理が実行されて排出トレイ５１に積載された原稿束と、の印字面の向き及び積載順が同じ状態（以下、一致状態とする）となるように、反転処理が必要か不要かの判断をするための条件について説明する。なお、一致状態は、排出トレイ５１に排出された原稿束を丸ごと上下にひっくり返すことで、原稿トレイ７１に積載される原稿束と印字面の向き及び積載順が同じ状態となる場合を含む。一致状態となるために反転処理が必要か不要かを示す条件を、以下の表１に示す。
【表１】
2019207382.tif 000003
【００４３】
繰り出し上下情報４０６、すなわち原稿トレイ７１に積載された原稿が、最上位の原稿から給送されるのか又は最下位の原稿から給送されるのかは、原稿給送ローラ７２の配置によって決まる。表１では、最上位の原稿から給送される場合を「上」、最下位の原稿から給送される場合を「下」で示している。
【００４４】
原稿印字面上下情報４０７、すなわち片面への上書き印刷ジョブにおいて、上書き原稿トレイ７１に積載された状態の原稿の、上面と下面のどちらに印字されるのかは、原稿の搬送経路等によって決まる。例えば、イメージセンサ７５によって画像が読み取られた原稿を、原稿排出ローラ対７６によって反転させてから両面搬送路Ｒ３に合流させるのか、反転させずに両面搬送路Ｒ３に合流させるのか、によって決まる。表１では、原稿の上面に印字される場合を「上」、原稿の下面に印字される場合を「下」で示している。
【００４５】
また、反転処理が必要か不要かは、原稿の片面（表面）への印刷を行っている際にリカバリ処理が行われるか、原稿の両面（裏面）への印刷を行っている際にリカバリ処理が行われるか、によっても変わってくる。すなわち、原稿の片面への印刷が完了し両面への印刷を行っている際にリカバリ処理が行われる場合、原稿の片面への印刷を行っている際にリカバリ処理が行われる場合に比して、既に原稿が１度反転されている。これら原稿の片面への印刷を行っている際にリカバリ処理が行われるのか、原稿の両面への印刷を行っている際にリカバリ処理が行われるのかは、原稿情報４０２及び印字面情報４０３によって判断される。なお、非原稿、すなわちカセット３１から給送される記録材Ｓへの印刷中にリカバリ処理が実行される場合には、他の記録材Ｓへ印刷しなおせば済むので、反転処理は行われない。
【００４６】
本実施の形態におけるメカ構成は、構成番号２に該当する。すなわち、原稿給送ローラ７２は、原稿トレイ７１に支持された最下位の原稿を給送し、反転ローラ対６０によって原稿が反転されない片面への上書き印刷ジョブにおいては、画像形成部２０によって原稿の第１面に画像が形成される。このようなメカ構成の場合、原稿の片面への印刷を行っている際のリカバリ処理において、反転処理が必要であると判断される。
【００４７】
また、構成番号４のメカ構成の場合、原稿給送ローラ７２は、原稿トレイ７１に支持された最下位の原稿を給送し、反転ローラ対６０によって原稿が反転されない片面への上書き印刷ジョブにおいては、画像形成部２０によって原稿の第２面に画像が形成される。このようなメカ構成の場合、原稿の両面への印刷を行っている際のリカバリ処理において、反転処理が必要であると判断される。
【００４８】
また、構成番号１のメカ構成の場合、原稿給送ローラ７２は、原稿トレイ７１に支持された最上位の原稿を給送し、反転ローラ対６０によって原稿が反転されない片面への上書き印刷ジョブにおいては、画像形成部２０によって原稿の第１面に画像が形成される。このようなメカ構成の場合、原稿の両面への印刷を行っている際のリカバリ処理において、反転処理が必要であると判断される。
【００４９】
また、構成番号３のメカ構成の場合、原稿給送ローラ７２は、原稿トレイ７１に支持された最上位の原稿を給送し、反転ローラ対６０によって原稿が反転されない片面への上書き印刷ジョブにおいては、画像形成部２０によって原稿の第２面に画像が形成される。このようなメカ構成の場合、原稿の両面への印刷を行っている際のリカバリ処理において、反転処理が必要であると判断される。
【００５０】
なお、構成番号１，３のように、原稿給送ローラ７２によって原稿トレイ７１に支持された最上位の原稿を給送する場合は、リカバリ処理が行われることで、第１面が下向きとなった状態で原稿が排出トレイ５１に排出される。このため、複数枚の原稿がリカバリ処理されて排出トレイ５１に排出された場合、第１面が下向きの状態で、下から１枚ずつ原稿が積み上がり、原稿束となる。ユーザは、排出トレイ５１に積み上がった原稿束の上下をひっくり返し、原稿トレイ７１にセットするだけで、所望の印字面に対して再び上書き印刷ジョブを実行することができる。
【００５１】
［ミスプリント判断とリカバリ処理］
次に、本実施の形態におけるミスプリント判断と、ミスプリント判断後のリカバリ処理について説明する。本実施の形態におけるミスプリントは、主に二次転写搬送遅延ミスプリント、サイズ不一致ミスプリント、スキャナエラーミスプリントの３種類がある。
【００５２】
二次転写搬送遅延ミスプリントは、第１搬送センサ９１によってシートの先端を検知した際に、中間転写ベルト２６によって搬送されるトナー像に対して、転写ニップＮ１で原稿の正しい位置に転写が行えないと判断された場合のミスプリントである。二次転写搬送遅延ミスプリントは、主にシートの搬送の遅延が原因であり、ユーザがシートの積載状態を調整することで解消する可能性が高く、ユーザが積載状態を確認した後に再印字を実施することが望まれる。
【００５３】
サイズ不一致ミスプリントは、第１搬送センサ９１によってシートの後端を検知した際に、ジョブに格納されたシートのサイズと異なると判断された場合のミスプリントである。サイズ不一致ミスプリントは、ユーザがシートのサイズ確認をして、適宜適切なサイズのシートに変更した後に再印字を実施することが望まれる。なお、原稿トレイ７１に積載された原稿は、イメージセンサ７５によって原稿のサイズを検知することができるため、原稿自身に対するサイズ不一致ミスプリントを検知することはない。ただし、先行する記録材に対してサイズ不一致ミスプリントを検知した場合には、プリンタ１００内で循環する後続の原稿もサイズ不一致ミスプリントに伴うリカバリの対象となることがある。
【００５４】
スキャナエラーミスプリントは、画像形成中の電気的なノイズやスキャナユニット２２の異常に基づいて、スキャナエラーセンサ３２７がスキャナユニット２２のエラー信号を検知した場合のミスプリントである。スキャナエラーミスプリントは、一時的な電気ノイズ等で発生する可能性が高いため、ユーザが電源の接続状態を確認した後に再印字が実施されることが望まれる。
【００５５】
プリンタ１００は、上記いずれかのミスプリントが発生した場合に、画像形成部２０において原稿への画像形成を中止し、原稿を機外に排出させるリカバリ処理を実行する。カセット３１又は手差しトレイ４５から給送された記録材に対してリカバリ処理が実行される場合には、記録材は、最短の搬送路を経由して、排出トレイ５１に排出される。なお、上記のミスプリントの種類及びリカバリ処理については、一例であり、限定されない。
【００５６】
［ミスプリント判断処理］
次に、ミスプリント判断手段４００（図４参照）によるミスプリント判断処理について、図６のフローチャートに沿って説明する。ユーザが原稿トレイ７１に原稿をセットし、上書き印刷ジョブの開始が指示されると、上述したように、原稿の画像がイメージセンサ７５によって読み取られる。そして原稿は、接続路Ｒ４、両面搬送路Ｒ３及び給送搬送路Ｒ１を介して、転写ニップＮ１へ向けて搬送される。この時、ミスプリント判断手段４００は、図６に示すように、第１搬送センサ９１に原稿の先端が到達したか否かを判断し（ステップＳ６０１）、原稿の先端が第１搬送センサ９１に到達するまで待機する。
【００５７】
第１搬送センサ９１に原稿の先端が到達した場合（ステップＳ６０１：ＹＥＳ）、ミスプリント判断手段４００は、二次転写搬送遅延ミスプリントか否か、すなわち転写ニップＮ１において原稿の所定の位置に画像を転写可能か判断する（ステップＳ６０２）。二次転写搬送遅延ミスプリントではないと判断された場合（ステップＳ６０２：ＮＯ）、ステップＳ６０１に戻る。二次転写搬送遅延ミスプリントであると判断された場合（ステップＳ６０２：ＹＥＳ）、ミスプリントであることをミスプリント原稿リカバリ手段４０１に通知して（ステップＳ６０３）、処理を終了する。
【００５８】
［リカバリ処理］
次に、ミスプリント原稿リカバリ手段４０１（図４参照）によるリカバリ処理について、図７のフローチャートに沿って説明する。ミスプリント原稿リカバリ手段４０１は、ミスプリント判断手段４００からのミスプリントの通知に基づいて、リカバリ処理を開始する。ミスプリント原稿リカバリ手段４０１は、まず、搬送モータ３２２を停止させ、レジストレーションローラ対３４、両面搬送ローラ対１２及び両面給送ローラ対１３を停止させる（ステップＳ７０１）。これにより、原稿の搬送が中断される。
【００５９】
次に、ミスプリント原稿リカバリ手段４０１は、中間転写ベルト２６上の全てのトナー像が転写ニップＮ１を通過したか否かを判断し（ステップＳ７０２）、トナー像が転写ニップＮ１を通過するまで待機する。トナー像が転写ニップＮ１を通過したと判断された場合（ステップＳ７０２：ＹＥＳ）、ミスプリント原稿リカバリ手段４０１は、搬送モータ３２２を駆動させる（ステップＳ７０３）。これにより、原稿の搬送が再開される。
【００６０】
そして、ミスプリント原稿リカバリ手段４０１は、第２搬送センサ９２に原稿の先端が到達したか否かを判断し（ステップＳ７０４）、原稿の先端が第２搬送センサ９２に到達するまで待機する。第２搬送センサ９２に原稿の先端が到達した場合（ステップＳ７０４：ＹＥＳ）、反転判断手段４０４（図４参照）は、上述した表１に基づいて、一致状態となるために反転処理が必要か否かを判断する（ステップＳ７０５）。反転処理が必要ではないと判断された場合（ステップＳ７０５：ＮＯ）、ミスプリント原稿リカバリ手段４０１は、リカバリ処理を行っている原稿がジョブの最後の原稿か否かを判断する（ステップＳ７０７）。
【００６１】
最後の原稿であると判断された場合（ステップＳ７０７：ＹＥＳ）、処理を終了し、最後の原稿ではないと判断された場合（ステップＳ７０７：ＮＯ）、ステップＳ７０４に戻る。ステップＳ７０５において、反転処理が必要であると判断された場合（ステップＳ７０５：ＹＥＳ）、反転判断手段４０４は、原稿反転手段４０５（図４参照）に反転処理が必要であることを通知し、反転処理が開始される（ステップＳ７０６）。その後、ステップＳ７０７に進む。
【００６２】
［反転処理］
次に、原稿反転手段４０５による反転処理について、図８のフローチャートに沿って説明する。原稿反転手段４０５は、反転判断手段４０４からの通知に基づいて、反転処理を開始する。原稿反転手段４０５は、まず、両面ソレノイド３２５をＯＮし、第１案内部材１１を図２に示す破線の位置に回動させる（ステップＳ８０１）。次に、原稿反転手段４０５は、反転モータ３２３を正転させて、反転ローラ対６０によって原稿を機外に向けて搬送させる（ステップＳ８０２）。
【００６３】
原稿反転手段４０５は、原稿の後端が第２搬送センサ９２に到達したか否かを判断し（ステップＳ８０３）、原稿の後端が第２搬送センサ９２に到達するまで待機する。原稿の先端が第２搬送センサ９２に到達したと判断された場合（ステップＳ８０３：ＹＥＳ）、原稿反転手段４０５は、両面ソレノイド３２５をＯＦＦし、第１案内部材１１を図２に示す実線の位置に回動させる（ステップＳ８０４）。
【００６４】
原稿反転手段４０５は、原稿の後端が所定の反転位置に到達したか否かを判断し（ステップＳ８０５）、原稿の後端が反転位置に到達するまで待機する。反転位置は、第１案内部材１１と反転ローラ対６０の間の位置である。原稿の後端が反転位置に到達したと判断された場合（ステップＳ８０５：ＹＥＳ）、原稿反転手段４０５は、反転モータ３２３を逆転させ、原稿を反転ローラ対６０によって反転搬送させる（ステップＳ８０６）。この後、原稿は、反転搬送路Ｒ２、両面搬送路Ｒ３及び給送搬送路Ｒ１を介して、排出ローラ対５０によって排出トレイ５１に排出される。以上で反転処理を終了する。なお、反転処理は、反転処理が必要な原稿が複数枚ある場合には、複数回実行される。
【００６５】
以上のように、本実施の形態では、上書き印刷ジョブのリカバリ処理において反転処理を実行可能である。これにより、ミスプリントが発生した場合、原稿トレイ７１に積載される原稿束と排出トレイ５１に積載される原稿束とが一致状態となる。そして、原稿給送ローラ７２によって原稿トレイ７１に支持された最下位の原稿を給送する場合、排出トレイ５１に積載された原稿をそのまま原稿トレイ７１に載せ替えるだけで、所望の印字面に対して再び上書き印刷ジョブを実行することができる。原稿給送ローラ７２によって原稿トレイ７１に支持された最上位の原稿を給送する場合、排出トレイ５１に積載された原稿束の上下をひっくり返し、原稿トレイ７１に載せ替えるだけで、所望の印字面に対して再び上書き印刷ジョブを実行することができる。このため、ユーザビリティを向上することができる。
【００６６】
また、ミスプリントとなって反転処理が実行された原稿のみが排出トレイ５１上に上下逆さまとなって積載されるため、再び上書き印刷ジョブを実行する必要のある原稿を容易に選別することができる。このため、原稿トレイ７１にセットするべき原稿を誤ることを防止し、ユーザビリティを向上できる。
【００６７】
なお、本実施の形態では、上書き印刷ジョブを実行している原稿に対して二次転写搬送遅延ミスプリントが発生した場合を例にミスプリント判断処理を説明したが、これに限定されない。例えば、原稿に先行する記録材で二次転写搬送遅延ミスプリントが発生した場合や、原稿に先行する記録材のサイズ不一致ミスプリントや、スキャナエラーミスプリントが発生した場合であっても本制御を適用できる。
【００６８】
＜第２の実施の形態＞
次いで、本発明の第２の実施の形態について説明するが、第２の実施の形態は、第１の実施の形態の上書き印刷ジョブにおいてリカバリ処理が実行された原稿をリカバリトレイ６２に排出するように構成したものである。このため、第１の実施の形態と同様の構成については、図示を省略、又は図に同一符号を付して説明する。
【００６９】
図９及び図１０に示すように、プリンタ１００Ａは、第１の実施の形態に加えて、反転ローラ対６０によって排出される原稿が積載されるリカバリトレイ６２を有している。第１積載部としての排出トレイ５１及び第２積載部としてのリカバリトレイ６２は、機外に排出された記録材Ｓ及び原稿が積載される積載部５を構成している。
【００７０】
なお、制御部２００のハードウェア構成については、第１の実施の形態（図３参照）と同様である。また、図１１に示す制御部２００Ａの制御ブロックは、ミスプリント原稿リカバリ手段４０１が、排出先切換え手段９０１を有していること以外は第１の実施の形態の制御部２００の制御ブロック（図４参照）と同様である。
【００７１】
以下では、制御部２００Ａによる各処理について説明するが、ミスプリント判断処理（図６参照）及び反転処理（図８参照）については、第１の実施の形態と同様である。図１２は、ミスプリント原稿リカバリ手段４０１によるリカバリ処理を示すフローチャートであるが、ステップＳ７０１〜Ｓ７０７は図７と同様であるため説明を省略する。
【００７２】
図１２に示すように、第２搬送センサ９２に原稿の先端が到達した場合（ステップＳ７０４：ＹＥＳ）、ミスプリント原稿リカバリ手段４０１は、この原稿がミスプリントに伴うリカバリの対象か否かを判断する（ステップＳ９０１）。例えば、上書き印刷を行う原稿と上書き印刷を行わない原稿とが交互に搬送されるジョブ等の場合には、上書き印刷を行う原稿のみがリカバリの対象となり、上書き印刷を行わない原稿はリカバリの対象とはならない。原稿がリカバリの対象ではない場合（ステップＳ９０１：ＮＯ）、制御部２００Ａは、原稿を排出トレイ５１に排出させ（ステップＳ９０２）、ステップＳ７０７に進む。
【００７３】
原稿がリカバリの対象である場合（ステップＳ９０１：ＹＥＳ）、反転判断手段４０４は、排出先切換え手段９０１に原稿の排出先を切換える必要があることを通知する。そして、排出先切換え手段９０１は、原稿が排出される際に、原稿の排出先をリカバリトレイ６２に設定する（ステップＳ９０３）。なお、原稿の排出先をリカバリトレイ６２に設定しても、反転処理（ステップＳ７０６）が必要な場合には、原稿を一度両面搬送路Ｒ３に搬送させて反転させてからリカバリトレイ６２に排出するのはもちろんである。その後、反転判断手段４０４（図４参照）は、上述した表１に基づいて、一致状態となるために反転処理が必要か否かを判断する（ステップＳ７０５）。反転処理については、図８と同様であるが、原稿を反転ローラ対６０によって反転した後の詳しい制御について、図１３のフローチャートに沿って説明する。
【００７４】
図１３に示すように、排出先切換え手段９０１は、両面ソレノイド３２５をＯＮし、変更手段としての第１案内部材１１を図２に示す破線の位置に回動させる（ステップＳ２１）。これにより、第１案内部材１１は、原稿を反転ローラ対６０に案内する位置に移動する。次に、ミスプリント原稿リカバリ手段４０１は、反転モータ３２３を正転させて、反転ローラ対６０によって原稿を機外に向けて搬送させる（ステップＳ２２）。
【００７５】
ミスプリント原稿リカバリ手段４０１は、原稿の後端が第２搬送センサ９２に到達したか否かを判断し（ステップＳ２３）、原稿の後端が第２搬送センサ９２に到達するまで待機する。原稿の先端が第２搬送センサ９２に到達したと判断された場合（ステップＳ２３：ＹＥＳ）、ミスプリント原稿リカバリ手段４０１は、両面ソレノイド３２５をＯＦＦし、第１案内部材１１を図２に示す実線の位置に回動させる（ステップＳ２４）。
【００７６】
ミスプリント原稿リカバリ手段４０１は、原稿の後端が所定の排出位置に到達したか否かを判断し（ステップＳ２５）、原稿の後端が排出位置に到達するまで待機する。排出位置は、反転ローラ対６０のニップよりも機外寄りの位置である。原稿の後端が排出位置に到達したと判断された場合（ステップＳ２５：ＹＥＳ）、ミスプリント原稿リカバリ手段４０１は、反転モータ３２３を停止させる（ステップＳ２６）。反転モータ３２３が停止した時点で、反転ローラ対６０によって原稿はリカバリトレイ６２に排出されている。
【００７７】
以上のように、本実施の形態では、リカバリ処理を実行したミスプリント原稿をリカバリトレイ６２に排出する。そして、リカバリトレイ６２に積載された原稿をそのまま又は原稿束の上下をひっくり返して原稿トレイ７１に載せ替えるだけで、所望の印字面に対して再び上書き印刷ジョブを実行することができる。このため、ユーザビリティを向上することができる。また、ミスプリントとなってリカバリ処理が実行された原稿のみがリカバリトレイ６２に積載されるので、再び上書き印刷ジョブを実行する必要のあるリカバリ対象の原稿のみを容易に選別することができる。このため、原稿トレイ７１にセットするべき原稿を誤ることを防止し、ユーザビリティを向上できる。
【００７８】
なお、本実施の形態では、リカバリ処理が実行された原稿をリカバリトレイ６２に排出することで、リカバリ処理が実行されない原稿と区別したが、これに限定されない。すなわち、再び上書き印刷ジョブを実行する必要のある原稿とそうでない原稿とが容易に区別可能となるように、これらの原稿の相対位置を変更するように構成すればよい。例えば、排出される原稿の幅方向における位置を振り分ける、排出オフセット機能を用いてもよい。
【００７９】
また、既述のいずれの形態においても、フルカラーの電子写真方式のプリンタ１００を用いて説明したが、本発明はこれに限定されない。例えば、モノクロの電子写真方式の画像形成装置や、ノズルからインク液を吐出させることで記録材に画像を形成するインクジェット方式の画像形成装置にも本発明を適用することが可能である。
【符号の説明】
【００８０】
５：積載部／１１：変更手段（第１案内部材）／２０：画像形成部／３１：記録材支持部（カセット）／５０：排出部（排出ローラ対）／５１：積載部、第１積載部（排出トレイ）／６０：反転部（反転ローラ対）／６２：第２積載部（リカバリトレイ）／７１：原稿支持部（原稿トレイ）／７２：原稿給送部（原稿給送ローラ）／７５：読取部／１００，１００Ａ：画像形成装置（プリンタ）／２００：制御部／Ｓ：記録材／Ｒ１：給送搬送路／Ｒ２：反転搬送路／Ｒ３：両面搬送路／Ｒ４：接続路／Ｒ５：原稿搬送路
【図１】
2019207382.tif 000004
【図２】
2019207382.tif 000005
【図３】
2019207382.tif 000006
【図４】
2019207382.tif 000007
【図５】
2019207382.tif 000008
【図６】
2019207382.tif 000009
【図７】
2019207382.tif 000010
【図８】
2019207382.tif 000011
【図９】
2019207382.tif 000012
【図１０】
2019207382.tif 000013
【図１１】
2019207382.tif 000014
【図１２】
2019207382.tif 000015
【図１３】
2019207382.tif 000016